【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
第１表面および第２表面を備える繊維含有基材であって、その表面の少なくとも一方の少なくとも一部に一体顕微鏡的表面構造を有し、該一体顕微鏡的表面構造が該繊維含有基材の平面に対して実質的に直角の突出部を有し、該少なくとも一方の表面が、
(ａ)繊維の長さの少なくとも一部に沿って表面構造を構成する複数の実質的に破壊されていない繊維を有する部分であって、該繊維が約１.１０以上の粗さ因子を有する部分；
を含んでなる繊維含有基材。
【請求項２】
一体顕微鏡的表面構造が約１００μｍ未満のサイズを有する請求項１に記載の繊維含有基材。
【請求項３】
一体顕微鏡的表面構造がその表面の少なくとも一方の少なくとも１０％に存在する請求項１に記載の繊維含有基材。
【請求項４】
一体顕微鏡的表面構造がその表面の少なくとも一方の少なくとも１５％に存在する請求項１に記載の繊維含有基材。
【請求項５】
一体顕微鏡的表面構造がその表面の少なくとも一方の少なくとも２０％に存在する請求項１に記載の繊維含有基材。
【請求項６】
少なくとも一方の表面に反撥性成分をさらに含む請求項１に記載の繊維含有基材。
【請求項７】
反撥性成分が、フルオロカーボン含有化学物質、シリコーン、ワックス、およびそれらの組合せからなる群より選択される請求項６に記載の繊維含有基材。
【請求項８】
反撥性成分がフルオロカーボン含有化学物質である請求項７に記載の繊維含有基材。
【請求項９】
フルオロカーボン含有化学物質が、フルオロアクリレート含有組成物もしくはフルオロウレタン含有組成物である請求項８に記載の繊維含有基材。
【請求項１０】
少なくとも一方の表面に架橋成分をさらに含む請求項６に記載の繊維含有基材。
【請求項１１】
架橋成分がポリウレタン系物質である請求項１０に記載の繊維含有基材。
【請求項１２】
少なくとも一方の表面に粒状成分をさらに含む請求項１に記載の繊維含有基材。
【請求項１３】
粒状成分が、約１ｎｍ〜約５０μｍの平均粒径を有する粒子を含む請求項１２に記載の繊維含有基材。
【請求項１４】
粒状成分が、約５ｎｍ〜約１μｍの平均粒径を有する粒子を含む請求項１２に記載の繊維含有基材。
【請求項１５】
粒状成分が、約１０ｎｍ〜約５０ｎｍの平均粒径を有する粒子を含む請求項１２に記載の繊維含有基材。
【請求項１６】
粒状成分が、ケイ酸塩、ドープ処理したケイ酸塩、鉱物、シリカ、ポリマー、炭素、グラファイト、金属塩、金属粉末、シリカ被覆した金属粉末、無機酸化物、およびそれらの組合せからなる群より選択される少なくとも１つの物質を含んでなる請求項１２に記載の繊維含有基材。
【請求項１７】
粒状成分がシリカ系物質である請求項１６に記載の繊維含有基材。
【請求項１８】
シリカ系物質がコロイド状シリカである請求項１７に記載の繊維含有基材。
【請求項１９】
少なくとも一方の表面に架橋成分をさらに含む請求項１２に記載の繊維含有基材。
【請求項２０】
架橋成分がポリウレタン系物質である請求項１９に記載の繊維含有基材。
【請求項２１】
反撥性成分、粒状成分、および架橋成分をさらに含む請求項１に記載の繊維含有基材。
【請求項２２】
第１表面および第２表面を備える織り繊維含有基材あって、その表面の少なくとも一方の少なくとも一部に一体顕微鏡的表面構造を有し、該一体顕微鏡的表面構造が該繊維含有基材の平面に対して実質的に直角の突出部を有し、該少なくとも一方の表面が、
(ａ)繊維の長さの少なくとも一部に沿って表面構造を構成する複数の実質的に破壊されていない繊維を有する部分であって、該繊維が約１.１０以上の粗さ因子を有する部分；ならびに
(ｂ)(ｉ)フルオロカーボン含有反撥性成分、(ii)粒状成分、および(iii)架橋成分、を含む化学混合物；
を含んでなり、洗濯後に実質的に耐久性の撥水性を示し、該撥水性が、３Ｍ撥水性試験II(１９９２年５月)に従って試験したときに少なくとも約５である織り繊維含有基材。
【請求項２３】
第１表面および第２表面を備える繊維含有基材であって、その表面の少なくとも一方の少なくとも一部に一体顕微鏡的表面構造を有し、該一体顕微鏡的表面構造が該繊維含有基材の平面に対して実質的に直角の突出部を有し、該少なくとも一方の表面が、(ｉ)繊維の長さの少なくとも一部に沿って表面構造を構成する複数の実質的に破壊されていない繊維を有する部分であって、該繊維が約１.１０以上の粗さ因子を有する部分；を含んでなる繊維含有基材の製造方法であって、
(ａ)第１表面および第２表面を有する繊維含有基材を供する工程；ならびに
(ｂ)少なくとも該基材の該第１表面を面仕上げし、それにより該第１表面に一体顕微鏡的表面構造を形成する工程；
を含んでなる方法。
【請求項２４】
工程(ｂ)の面仕上げを機械的処理、化学的処理、またはそれらの組合せによって達成する請求項２３に記載の方法。
【請求項２５】
工程(ｂ)の面仕上げを機械的処理によって達成する請求項２４に記載の方法。
【請求項２６】
機械的処理を、少なくとも第１表面を１つ以上の摩耗表面に暴露することによって達成する請求項２５に記載の方法。
【請求項２７】
１つ以上の摩耗表面を、ダイヤモンドグリットまたは研磨紙で被覆する請求項２６に記載の方法。
【請求項２８】
摩耗表面を、約６００〜約１２００の平均グリットサイズを有するダイヤモンドグリットで被覆する請求項２７に記載の方法。
【請求項２９】
摩耗表面が１つ以上の摩耗円柱状ロールを含んでなる請求項２８に記載の方法。
【請求項３０】
第１表面および第２表面を備える繊維含有基材であって、その表面の少なくとも一方の少なくとも一部に一体顕微鏡的表面構造を有し、該一体顕微鏡的表面構造が該繊維含有基材の平面に対して実質的に直角の突出部を有し、該少なくとも一方の表面が、(ｉ)繊維の長さの少なくとも一部に沿って表面構造を構成する複数の実質的に破壊されていない繊維を有する部分であって、該繊維が約１.１０以上の粗さ因子を有する部分；を含んでなる繊維含有基材の製造方法であって、
(ａ)第１表面および第２表面を有する繊維含有基材を供する工程；
(ｂ)少なくとも該基材の該第１表面を面仕上げし、それにより該第１表面に一体顕微鏡的表面構造を形成する工程；ならびに
(ｃ)反撥性成分を含む化学混合物を、少なくとも該基材の該第１表面に適用する工程；
を含んでなる方法。
【請求項３１】
工程(ｂ)の面仕上げを機械的処理、化学的処理、またはそれらの組合せによって達成する請求項３０に記載の方法。
【請求項３２】
工程(ｂ)の面仕上げを機械的処理によって達成する請求項３１に記載の方法。
【請求項３３】
機械的処理を、少なくとも第１表面を１つ以上の摩耗表面に暴露することによって達成する請求項３２に記載の方法。
【請求項３４】
１つ以上の摩耗表面を、ダイヤモンドグリットまたは研磨紙で被覆する請求項３３に記載の方法。
【請求項３５】
摩耗表面を、約６００〜約１２００の平均グリットサイズを有するダイヤモンドグリットで被覆する請求項３４に記載の方法。
【請求項３６】
摩耗表面が１つ以上の摩耗円柱状ロールを含んでなる請求項３５に記載の方法。
【請求項３７】
第１表面および第２表面を備える繊維含有基材であって、その表面の少なくとも一方の少なくとも一部に一体顕微鏡的表面構造を有し、該一体顕微鏡的表面構造が該繊維含有基材の平面に対して実質的に直角の突出部を有し、該少なくとも一方の表面が、(ｉ)繊維の長さの少なくとも一部に沿って表面構造を構成する複数の実質的に破壊されていない繊維を有する部分であって、該繊維が約１.１０以上の粗さ因子を有する部分；を含んでなる繊維含有基材の製造方法であって、
(ａ)第１表面および第２表面を有する繊維含有基材を供する工程；
(ｂ)少なくとも該基材の該第１表面を面仕上げし、それにより該第１表面に一体顕微鏡的表面構造を形成する工程；ならびに
(ｃ)反撥性成分および粒状成分を含む化学混合物を、少なくとも該第１表面に適用する工程；
を含んでなる方法。
【請求項３８】
第１表面および第２表面を備える繊維含有基材であって、その表面の少なくとも一方の少なくとも一部に一体顕微鏡的表面構造を有し、該一体顕微鏡的表面構造が該繊維含有基材の平面に対して実質的に直角の突出部を有し、該少なくとも一方の表面が、(ｉ)繊維の長さの少なくとも一部に沿って表面構造を構成する複数の実質的に破壊されていない繊維を有する部分であって、該繊維が約１.１０以上の粗さ因子を有する部分；を含んでなる繊維含有基材の製造方法であって、
(ａ)第１表面および第２表面を有する繊維含有基材を供する工程；
(ｂ)少なくとも該基材の該第１表面を面仕上げし、それにより該第１表面に一体顕微鏡的表面構造を形成する工程；
(ｃ)粒状成分を含む第１化学混合物を、少なくとも該第１表面に適用する工程；ならびに
(ｄ)続いて、反撥性成分を含む第２化学混合物を、少なくとも該第１表面に適用する工程；
を含んでなる方法。
【請求項３９】
第１表面および第２表面を備える繊維含有基材であって、その表面の少なくとも一方の少なくとも一部に一体顕微鏡的表面構造を有し、該一体顕微鏡的表面構造が該繊維含有基材の平面に対して実質的に直角の突出部を有し、該少なくとも一方の表面が、(ｉ)繊維の長さの少なくとも一部に沿って表面構造を構成する複数の実質的に破壊されていない繊維を有する部分であって、該繊維が約１.１０以上の粗さ因子を有する部分；を含んでなる繊維含有基材の製造方法であって、
(ａ)第１表面および第２表面を有する繊維含有基材を供する工程；
(ｂ)少なくとも該基材の該第１表面を面仕上げし、それにより該第１表面に一体顕微鏡的表面構造を形成する工程；
(ｃ)反撥性成分を含む第１化学混合物を、少なくとも該第１表面に適用する工程；ならびに
(ｄ)続いて、反撥性成分および粒状成分を含む第２化学混合物を、少なくとも該第１表面に適用する工程；
を含んでなる方法。